(57)【要約】【課題】太陽電池パネルを保護でき、落下等の衝撃を受けても傷が付いたり、破損し難く、また電気エネルギーへの変換効率を維持できる携帯機器用充電器を提供する。【解決手段】ケース本体１２と、ケース本体１２に積層状態に収納されたバッテリー２３、電子部品基板ユニット２５および太陽電池パネル４８と、太陽電池パネル４８の受光面４７を覆う透明部を有し、ケース本体１２に結合された合成樹脂材料からなる透明カバー１４３と、電子部品基板ユニット２５を介してバッテリー２３と電気的に接続された状態に設けられ、携帯電話機の充電端子と接続可能な充電コネクタ２９とからなり、ケース本体１２と透明カバー１３は、互いに嵌合する嵌合周壁部１５、１８を有し、この嵌合周壁部１５，１８には嵌合深さ方向に向かって漸次接近する方向に傾斜するテーパ面１５ａ，１８ａを有し、ケース本体１２と透明カバー１３とからなる内部空間を水密構造にシールしたことを特徴とする携帯機器用充電器にある。【選択図】      図１
2009189079.tif 000002
【特許請求の範囲】
【請求項１】
合成樹脂材料によって成形されたケース本体と、
前記ケース本体に積層状態に収納されたバッテリー、電子部品基板ユニットおよび太陽電池パネルと、
前記太陽電池パネルの受光面を覆う透明部を有し、前記ケース本体に結合された合成樹脂材料からなる透明カバーと、
前記電子部品基板ユニットを介してバッテリーと電気的に接続された状態に設けられ、携帯機器の充電端子と接続可能な充電コネクタとからなり、
前記ケース本体と透明カバーは、互いに嵌合する嵌合周壁部を有し、この嵌合周壁部には嵌合深さ方向に向かって漸次接近する方向に傾斜するテーパ面を有し、前記嵌合周壁部のテーパ面を密接して前記ケース本体と透明カバーとからなる内部空間を水密構造にシールしたことを特徴とする携帯機器用充電器。
【請求項２】
前記電子部品基板ユニットには、充電状態を表示する表示素子を有し、この表示素子は前記透明カバーを透過して外部から確認できることを特徴とする請求項１記載の携帯機器用充電器。
【請求項３】
前記充電コネクタは、前記ケース本体と透明カバーとの接合部分に水密に固定されていることを特徴とする請求項１記載の携帯機器用充電器。
【発明の詳細な説明】
【技術分野】
【０００１】
本発明は、太陽電池パネルを備え、太陽光エネルギーを電気エネルギーに変換して内蔵バッテリーに蓄電して携帯電話機等のバッテリーに充電できる携帯機器用充電器に関する。
【背景技術】
【０００２】
携帯機器としての例えば携帯電話機は、本体の内部にバッテリーを備えており、充電が必要になって時には専用のＡＣ充電器を使用してバッテリーに充電することが行なわれている。しかし、専用のＡＣ充電器は嵩張るため、旅行や出張等の外出時にＡＣ充電器を持ち運ぶことは煩雑である。
【０００３】
また、乾電池を内蔵した充電器も市販されているが、乾電池自体に重量があるため、持ち運びに困難であり、最近では、太陽電池パネルを搭載した携帯電話機用充電器が知られている（例えば、特許文献１参照。）。
【０００４】
特許文献１に示す携帯電話機用充電器は、直方体形状のボディの内部にバッテリーを備えるとともに、ボディの表面に太陽電池パネルを装着し、さらにボディの端部に充電コネクタを設けたものである。そして、太陽電池パネルが太陽光エネルギーを受けると、そのエネルギーが電気エネルギーに変換され、ボディの内部のバッテリーに蓄電されるようになっている。したがって、充電コネクタを携帯電話機の充電端子に接続することにより、携帯電話機のバッテリーに充電することができる。
【特許文献１】特許第３５８０８０６号公報
【発明の開示】
【発明が解決しようとする課題】
【０００５】
しかしながら、特許文献１に示す携帯電話機用充電器は、太陽電池パネルが露出しているために、落下等の衝撃を受けたとき破損しやすく、さらに太陽電池パネルの受光面に傷が付き易く太陽光の受光効率が悪くなり、電気エネルギーへの変換効率が低下するという問題がある。さらに、ボディは上下２分割され、固定ねじで結合された構造であるため、防水機能はなく、水の浸入によって故障しやすいという問題がある。
【０００６】
また、ボディのサイズが、幅５０ｍｍ×長さ１７０ｍｍ×厚さ２０ｍｍ前後であり、大型であるとともに、特に長さが長いために携帯に不便である。
【０００７】
本発明は、前記事情に着目してなされたもので、その目的とするところは、太陽電池パネルが透明カバーによって保護され、落下等の衝撃を受けても傷が付いたり、破損し難く、また電気エネルギーへの変換効率を維持でき、しかも防水構造で、水の浸入を完全に阻止できる携帯機器用充電器を提供することにある。
【課題を解決するための手段】
【０００８】
本発明は、前述した目的を達成するために、請求項１は、合成樹脂材料によって成形されたケース本体と、前記ケース本体に積層状態に収納されたバッテリー、電子部品基板ユニットおよび太陽電池パネルと、前記太陽電池パネルの受光面を覆う透明部を有し、前記ケース本体に結合された合成樹脂材料からなる透明カバーと、前記電子部品基板ユニットを介してバッテリーと電気的に接続された状態に設けられ、携帯機器の充電端子と接続可能な充電コネクタとからなり、前記ケース本体と透明カバーは、互いに嵌合する嵌合周壁部を有し、この嵌合周壁部には嵌合深さ方向に向かって漸次接近する方向に傾斜するテーパ面を有し、前記嵌合周壁部のテーパ面を密接して前記ケース本体と透明カバーとからなる内部空間を水密構造にシールしたことを特徴とする携帯機器用充電器にある。
【０００９】
請求項２は、請求項１の前記電子部品基板ユニットには、充電状態を表示する表示素子を有し、この表示素子は前記透明カバーを透過して外部から確認できることを特徴とする。
【００１０】
請求項３は、請求項１の前記充電コネクタは、前記ケース本体と透明カバーとの接合部分に水密に固定されていることを特徴とする。
【発明の効果】
【００１１】
本発明によれば、太陽電池パネルを透明カバーによって覆うことにより、太陽電池パネルを保護でき、落下等の衝撃を受けても傷が付いたり、破損し難く、また電気エネルギーへの変換効率を維持できる。しかもケースが防水構造で、内部への水の浸入を完全に阻止できるという効果がある。
【発明を実施するための最良の形態】
【００１２】
以下、本発明の実施の形態を図面に基づいて説明する。
【００１３】
図１は携帯電話機用充電器の分解斜視図で、図２は携帯電話機用充電器の縦断側面図である。図１〜図３に示すように、充電器本体１１は合成樹脂材料によって成形された偏平矩形状のケース本体１２と透明な合成樹脂材料によって成形された偏平矩形状の透明カバー１３とから構成されている。ケース本体１２は底面部１４の外周部に嵌合周壁部１５が一体に設けられている。ケース本体１２の長手方向の両端側における嵌合周壁部１５の左右内面には段差からなる係合部１６が設けられている。透明カバー１３はレンチキラーレンズに形成された上面部１７の外周部に嵌合周壁部１８が一体に設けられている。透明カバー１３の長手方向の両端側における嵌合周壁部１８の左右内面には前記係合部１６に対応して係合爪部１９が突設され、ケース本体１２に対して透明カバー１３を位置決めして押圧することにより、係合爪部１９と係合部１６とが弾性係合してケース本体１２に対して透明カバー１３が結合されるようになっている。この透明カバー１３の上面部１７はレンチキラーレンズに形成されているため、太陽光線は透過しやすいが、内部の太陽電池パネル４８は目視し難い構造になっている。
【００１４】
さらに、図４に示すように、ケース本体１２の嵌合周壁部１５の内面にはケース本体１２の底面部１４に向かって漸次狭幅になるテーパ面１５ａが設けられている。透明カバー１３の嵌合周壁部１８の外面にはテーパ面１５ａと逆方向に傾斜するテーパ面１８ａが設けられている。すなわち、嵌合周壁部１５，１８には嵌合深さ方向（図４の下方向）に向かって漸次接近する方向に傾斜するテーパ面１５ａ，１８ａが形成され、後述する手段によってケース本体１２と透明カバー１３とから内部空間が水密構造にシールされるようになっている。
【００１５】
また、図５に示すように、ケース本体１２の一端側における底面部１４の隅部には貫通孔２０が設けられ、透明カバー１３の上面部１７の隅部には貫通孔２０に対応してねじ孔２１ａを有するボス２１が設けられている。そして、ケース本体１２の貫通孔２０側から固定ねじ２２を挿入し、透明カバー１３のねじ孔２１ａにねじ込むことにより、ケース本体１２と透明カバー１３とが固定されるようになっている。
【００１６】
ケース本体１２の内部には矩形状のバッテリー２３が収納され、このバッテリー２３の上面にはバッテリー２３の平面形状に略等しい矩形状の電子部品基板ユニット２５が積層されている。電子部品基板ユニット２５の上面、すなわちバッテリー２３と接する面と反対側には複数個の電子部品２６が搭載されている。電子部品基板ユニット２５の一側部における上面には充電状態を表示する表示素子としてのＬＥＤ２７が固定されている。このＬＥＤ２７は透明カバー１３を透視して外部から確認できるようになっている。
【００１７】
電子部品基板ユニット２５の一端側には携帯電話機（図示しない）の充電端子と接続可能な充電コネクタ２９が設けられ、他端側には後述するＡＣ充電コネクタ３０と接続可能な接続端子３１が設けられている。充電コネクタ２９は合成樹脂材料からなるコネクタ本体３２によって保護されており、このコネクタ本体３２はケース本体１２と透明カバー１３の周壁１５，１８に設けられた嵌合孔３３の係合された状態で接着剤によって接着されており、充電器本体１１の外部に突出している。
【００１８】
従って、充電コネクタ２９はバッテリー２３および電子部品基板ユニット２５と積層されない位置で、しかもケース本体１２と透明カバー１３との間に設けられているために、充電コネクタ２９が充電器本体１１の肉厚に影響を及ぼさない薄型構造の設計になっている。
【００１９】
さらに、図６に示すように、充電コネクタ２９の一側部で、ケース本体１２と透明カバー１３の周壁１５，１８における外側面には突出片３４が一体に設けられ、これら突出片３４には互いに対向する枢支ピン３５が一体に突設されている。これら枢支ピン３５には充電コネクタ２９を覆うコネクタキャップ３６が開閉可能に枢支されている。すなわち、コネクタキャップ３６は一側面に開口部を有するボックス形状で、その一端部には枢支ピン３５に回動自在に係合する係合孔３７が設けられている。
【００２０】
コネクタキャップ３６は枢支ピン３５を支点として回動（開閉）自在であり、閉塞時に充電コネクタ２９を覆って保護できるようになっている。さらに、図７および図８に示すように、コネクタキャップ３６の支点側における角部にはストラップ孔３８が設けられ、ボールチェーン式ストラップ３９もしくはカニカンリング付きストラップ４０を挿通して携帯電話機に吊り下げることができるようになっている。
【００２１】
前記ＡＣ充電コネクタ３０と接続される接続端子３１はＡＣ充電コネクタ受け部４１によって覆われている。このＡＣ充電コネクタ受け部４１はゴム製の角筒状であり、ＡＣ充電コネクタ３０の端子部３０ａが挿入される挿入孔４２が設けられている。さらに、ＡＣ充電コネクタ受け部４１の外周部は前記ケース本体１２および透明カバー１３の周壁１５，１８に設けられた切欠部４４と弾性的に係合している。したがって、ＡＣ充電コネクタ受け部４１はケース本体１２と透明カバー１３に対して水密にシールされ、挿入孔４２は充電器本体１１の外部に開口している。
【００２２】
従って、ＡＣ充電コネクタ受け部４１はバッテリー２３および電子部品基板ユニット２５と積層されない位置で、しかもケース本体１２と透明カバー１３との間に設けられているために、ＡＣ充電コネクタ受け部４１が充電器本体１１の肉厚に影響を及ぼさない薄型構造の設計になっている。
【００２３】
また、前記電子部品基板ユニット２５の上面には受光面４７を上部に向けて太陽電池パネル４８が嵌合され、透明カバー１３に対して接着固定されている。この太陽電池パネル４８はリード線(図示しない)を介して電子部品基板ユニット２５およびバッテリー２３に電気的に接続され、受光面４７が太陽光エネルギーを受けると、そのエネルギーが電気エネルギーに変換され、充電器本体１１内のバッテリー２３に蓄電されるようになっている。
【００２４】
なお、図９に示すように、ＡＣ充電コネクタ３０はコード４９を介してＡＣ接続プラグ５０に接続されており、ＡＣ充電コネクタ３０を接続端子３１に接続し、ＡＣ接続プラグ５０をＡＣコンセントに接続することにより、ＡＣ電源によってバッテリー２３に充電することもできる。
【００２５】
このように構成された携帯電話機用充電器は、ケース本体１２の嵌合周壁部１５と透明カバー１３の嵌合周壁部１８とを嵌合すると、テーパ面１５ａと１８ａとが接合する。この状態で、ケース本体１２の貫通孔２０側から固定ねじ２２を挿入し、透明カバー１３のねじ孔２１ａにねじ込むと、ケース本体１２と透明カバー１３とが互いに引き寄せられる。そして、ケース本体１２の嵌合周壁部１５と透明カバー１３の嵌合周壁部１８とが深く嵌合してテーパ面１５ａと１８ａとが密接し、パッキング等を用いることなく、内部を水密構造に構成することができる。
【００２６】
また、充電器本体１１の内部にバッテリー２３、電子部品基板ユニット２５および太陽電池パネル４８が積層状態に収納された構造である。しかも、太陽電池パネル４８はその全体が透明カバー１３によって覆われているため、太陽電池パネル４８を保護でき、落下等の衝撃を受けても傷が付いたり、破損し難く、また電気エネルギーへの変換効率を維持できる。
【００２７】
さらに、充電コネクタ２９およびＡＣ充電コネクタ受け部４１はバッテリー２３、電子部品基板ユニット２５および太陽電池パネル４８と積層されない位置で、しかもケース本体１２と透明カバー１３との間に設けられている。したがって、充電器本体１１の小型化、薄型化を図ることができる。しかも、乾電池を内蔵しないため、軽量であり、ボールチェーン式ストラップ３９もしくはカニカンリング付きストラップ４０を利用して携帯電話機に吊り下げ、携帯に便利である。
【００２８】
前記実施形態においては、携帯電話機について説明したが、パソコン等の携帯機器の充電にも利用できる。
【００２９】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組み合わせてもよい。
【図面の簡単な説明】
【００３０】
【図１】本発明の第１の実施形態を示し、携帯電話機用充電器の分解斜視図。
【図２】同実施形態を示し、携帯電話機用充電器の縦断側面図。
【図３】同実施形態を示し、携帯電話機用充電器の縦断側面図。
【図４】同実施形態を示し、図３のＡ部を拡大した断面図。
【図５】同実施形態を示し、ケース本体と透明カバーの固定構造を示す断面図。
【図６】同実施形態を示し、コネクタキャップの取付け構造を示す斜視図。
【図７】同実施形態を示し、携帯電話機用充電器の斜視図。
【図８】同実施形態を示し、携帯電話機用充電器の斜視図。
【図９】同実施形態を示し、ＡＣ充電ユニットの斜視図。
【符号の説明】
【００３１】
１１…充電器本体、１２…ケース本体、１３…透明カバー、１５，１８…嵌合周壁部、１５ａ，１８ａ…テーパ面、２３…バッテリー、２５…電子部品基板ユニット、２９…充電コネクタ、４８…太陽電池パネル
【図１】
2009189079.tif 000003
【図２】
2009189079.tif 000004
【図３】
2009189079.tif 000005
【図４】
2009189079.tif 000006
【図５】
2009189079.tif 000007
【図６】
2009189079.tif 000008
【図７】
2009189079.tif 000009
【図８】
2009189079.tif 000010
【図９】
2009189079.tif 000011